(57)【要約】【課題】木本類の植栽に適した植生基材の保持枠及び緑化斜面の構造及び斜面の緑化方法を提供すること。【解決手段】斜面に植生基材６を配置するための保持枠であって、板状材の略中央に横断方向の山折り線１３を設け、前記山折り線を中心にして、該山折り線１３の一方の端部から他方の端部側に向けて広がる谷折り線１４を２本設け、前記山折り線と前記谷折り線を折り曲げて形成したことを特徴とするものである。ここで、山折り線に続いて切れ目１５を設ける構成とすることもできる。【選択図】　　　　図１
2004068315.tif 000002
【特許請求の範囲】
【請求項１】
斜面に植生基材を配置するための保持枠であって、板状材の略中央に横断方向の山折り線を設け、
前記山折り線を中心にして、該山折り線の一方の端部から他方の端部側に向けて広がる谷折り線を２本設け、
前記山折り線と前記谷折り線を折り曲げて形成したことを特徴とする、
植生基材の保持枠。
【請求項２】
斜面に植生基材を配置するための保持枠であって、
板状材の略中央に横断方向の山折り線と切れ目を連続して設け、
前記山折り線を中心にして、該山折り線の一方の端部から他方の端部側に向けて広がる谷折り線を２本設け、
前記山折り線と前記谷折り線を折り曲げて形成したことを特徴とする、
植生基材の保持枠。
【請求項３】
請求項１又は２に記載した植生基材の保持枠の前記山折り線が斜面から張り出すように設置した張出型保持枠と、
前記張出型保持枠の張出部を囲繞するように設置した閉合型保持枠と、
前記張出型保持枠及び閉合型保持枠の内部に充填する植生基材と、からなる、
緑化斜面の構造。
【請求項４】
請求項１又は２に記載した植生基材の保持枠を前記山折り線が斜面から張り出すように張出型保持枠として配置し、
前記張出型保持枠の翼部を定着部材によって斜面に固定し、
前記張出型保持枠の内部に植生基材を充填する、
斜面の緑化方法。
【請求項５】
請求項１又は２に記載した植生基材の保持枠を前記山折り線が斜面から張り出すように張出型保持枠として配置し、
前記張出型保持枠の翼部を定着部材によって斜面に固定し、
前記張出型保持枠の張出部が囲繞されるように閉合型保持枠を前記翼部の上面に設置し、
前記張出型保持枠及び前記閉合型保持枠の内部に植生基材を充填する、
斜面の緑化方法。
【発明の詳細な説明】
【０００１】
【発明の属する技術分野】
本発明は、客土や肥料などの植生基材を斜面に定着させ、斜面を緑化するための植生基材の保持枠及び緑化斜面の構造及び斜面の緑化方法に関するものである。
【０００２】
【従来の技術】
従来から、斜面に客土や肥料などの植生基材を定着させるために、金網や法枠などが使用されている。
通常、吹き付けなどによって斜面の表面に配置される植生基材の厚さは３〜１０ｃｍ程度であり、金網や法枠を使用した場合でも１５ｃｍ程度までである。
しかし、斜面に低木などの木本類の苗木を根鉢ごと植栽するためには、３０ｃｍ程度の客土が必要になる。
【０００３】
【本発明が解決しようとする課題】
前記した従来の方法にあっては、次のような問題点がある。
＜イ＞斜面に木本類の苗木を植栽する方法の一つに、植栽部分を掘り下げる方法がある。しかし、植栽箇所ごとに掘り下げるのは人力作業となり手間がかかる。＜ロ＞斜面に木本類の苗木を植栽するために植生基材を厚く吹き付ける方法もある。しかし、植生基材を斜面全体に厚く吹き付けるのは不経済である。また、吹き付けた植生基材の厚さが厚くなると、侵食されやすくなり、斜面が不安定になるおそれがある。
＜ハ＞全体的に植生基材の層厚を厚くして対応した場合、草本類と木本類の植生区域が分離されずに混在する。この場合、生長の早い草本類に木本類の生育に必要な養分まで奪われ、木本類が生長できないおそれがある。
【０００４】
【本発明の目的】
本発明は上記したような従来の問題を解決するためになされたもので、木本類の植栽に適した植生基材の保持枠及び緑化斜面の構造及び斜面の緑化方法を提供することを目的とする。
また、必要な箇所に容易かつ経済的に木本類を配置できる植生基材の保持枠及び緑化斜面の構造及び斜面の緑化方法を提供することを目的とする。
さらに、植生基材を安定して保持できる植生基材の保持枠及び緑化斜面の構造及び斜面の緑化方法を提供することを目的とする。
【０００５】
【課題を解決するための手段】
上記のような目的を達成するために、本発明の植生基材の保持枠は、斜面に植生基材を配置するための保持枠であって、板状材の略中央に横断方向の山折り線を設け、前記山折り線を中心にして、該山折り線の一方の端部から他方の端部側に向けて広がる谷折り線を２本設け、前記山折り線と前記谷折り線を折り曲げて形成したことを特徴とするものである。ここで、山折り線に続いて切れ目を設ける構成とすることもできる。
【０００６】
また、本発明の緑化斜面の構造は、上記した植生基材の保持枠の前記山折り線が斜面から張り出すように設置した張出型保持枠と、前記張出型保持枠の張出部を囲繞するように設置した閉合型保持枠と、前記張出型保持枠及び閉合型保持枠の内部に充填する植生基材と、からなる構造である。
【０００７】
さらに、本発明の斜面の緑化方法は、上記した植生基材の保持枠を前記山折り線が斜面から張り出すように張出型保持枠として配置し、前記張出型保持枠の翼部を定着部材によって斜面に固定し、前記張出型保持枠の内部に植生基材を充填する方法である。ここで、前記張出型保持枠の張出部が囲繞されるように閉合型保持枠を前記翼部の上面に設置し、前記張出型保持枠及び前記閉合型保持枠の内部に植生基材を充填することもできる。
【０００８】
【本発明の実施の形態】
以下、図面を参照しながら本発明の実施の形態について説明する。
【０００９】
＜イ＞植生基材の保持枠
植生基材の保持枠は、斜面に植生基材６を定着させるための枠材で、板状の網材、金属板、紙製板、樹脂板、木製板等で製作する。
植生基材６は、植物の生育に必要な材料をいい、客土、肥料、砂利、木質繊維、侵食防止剤等が該当する。
【００１０】
＜ロ＞張出型保持枠
張出型保持枠１は、斜面から張り出した部分を有する植生基材の保持枠である。この張出部１１に木本類の苗木４１などを植栽する。
張出型保持枠は、一枚の板状材によって製作する。板状材の材料としては、金網、エキスパンドメタル、樹脂製網板材、ステンレス板などの金属板、ダンボール紙などが使用できる。
例えば、矩形の金網板のほぼ中央に横断方向の山折り線１３を設ける（図２上段参照）。そして、山折り線１３の端部から金網板の端面までは切れ目１５とする。この切れ目１５を入れた側の山折り線１３の端部から反対側の端部方向に向けて、末広がりとなるように谷折り線１４を２本設ける。このようにして設けた山折り線１３と谷折り線１４を折り曲げることで、張出部１１と翼部１２を有する張出型保持枠１を形成することができる（図２下段参照）。翼部１２が斜面に接するように張出型保持枠１を設置した場合、張出部１１には三角錘状の植栽用の空間を確保することができる。
【００１１】
図２では切れ目１５を設けた場合の張出型保持枠１について説明したが、図３に示すように切れ目を設けないで張出型保持枠１を構成することもできる。
【００１２】
＜ハ＞閉合型保持枠
閉合型保持枠２は、斜面を緑化するために広域にわたって配置する植生基材６を保持するための枠材である。閉合型保持枠２には、主に草本類などを育成するための植生基材６を充填する。
閉合型保持枠２は、例えばその外形を形成する外周枠２１と、必要に応じて配置する補強材２２で構成する（図１参照）。外周枠２１の平面形状は、円形に限定されるものではなく、三角形、四角形、菱形など様々な形状の外周枠２１が使用できる（図示せず）。
補強材２２は、外周枠２１で形成された閉合型保持枠２の外形を維持するために設置するエキスパンドメタルや金網などの板材である。補強材２２は、外周枠２１で囲まれた内部空間を仕切るように設置する。
【００１３】
以下、図面を参照して張出型保持枠１を配置する場合の緑化斜面の構造及び斜面の緑化方法について説明する。
【００１４】
＜イ＞張出型保持枠の配置
切土して成形した法面や盛土法面などの斜面に、所定の間隔をおいて張出型保持枠１を配置する。
張出型保持枠１は、斜面に接触する翼部１２にアンカーピンなどの定着部材を打ち込んで斜面に固定する。
【００１５】
＜ロ＞閉合型保持枠の配置
必要に応じて閉合型保持枠２を配置する。閉合型保持枠２を使用しなくとも植生基材６を斜面に定着できる場合は、張出型保持枠１を設置した後すぐに後述する植生基材６の充填作業に移ることができる。
閉合型保持枠２は、張出型保持枠１の張出部１１を外周枠２１で囲繞し、外周枠２１の下面を翼部１２の上に設置するように配置するのが好ましい。通常、外周枠２１の下端からは爪部２３が突出しており、爪部２３が翼部１２の升目に刺さって両者を一体化することができる。また、閉合型保持枠２はアンカーピンなどの定着部材を打設することによって斜面に固定する。閉合型保持枠２を斜面に固定すると、外周枠２１によって翼部１２が押え付けられた張出型保持枠１の斜面への固定度合いも高めることができる。
閉合型保持枠２は、張出型保持枠１を設置していない場所にも配置することができる。図４に張出型保持枠１を千鳥配置し、閉合型保持枠２を全面配置した実施例を示した。
【００１６】
＜ハ＞植生基材の配置
必要に応じて張出型保持枠１の前面にシート材３を配置する（図４参照）。
シート材３は、例えば張出部１１に充填した植生基材６の漏出を防ぐ目的で配置する。シート材３には、織布、不織布等の繊維材料や公知の遮水シートなどが使用できる。
張出型保持枠１及び閉合型保持枠２の内部に植生基材６を充填する。植生基材６は吹き付けなどによって充填する。閉合型保持枠２にはその高さに合わせて、例えば１０〜１５ｃｍ程度の厚みで植生基材６を吹き付ける。
ここで、張出型保持枠１の内部に充填する植生基材６と閉合型保持枠２の内部に充填する植生基材６は種類を変えることができる。木本類４と草本類５では、必要とする栄養分や望ましい植生基盤の環境が異なるためである。
また、張出部１１の平らな表面を、砂利６１や木片チップなどで覆うことで苗木４１の周辺に雑草が繁殖するのを防ぐことができる。
上述したように木本類４の生長に適した環境を斜面上に確保することによって、木本類４と草本類５の混在した緑化斜面を形成することができる（図６参照）。
【００１７】
【本発明の効果】
本発明の植生基材の保持枠及び緑化斜面の構造及び斜面の緑化方法は以上説明したようになるから次のような効果を得ることができる。
＜イ＞張出型保持枠を配置することで、斜面の任意の箇所に容易かつ経済的に木本類に適した環境を作ることができる。
＜ロ＞張出部によって木本類の植栽に必要な植生基材の厚みが確保できる。また、保持枠によって配置した植生基材を安定して斜面上に定着させることができる。
【図面の簡単な説明】
【図１】本発明の植生基材の保持枠の実施例の斜視図。
【図２】張出型保持枠を製作する手順を示した説明図。
【図３】切れ目のない張出型保持枠の実施例の立体図。
【図４】張出型保持枠を斜面上に配置した実施例の斜視図。
【図５】張出型保持枠を配置した緑化斜面の構造の実施例の断面図。
【図６】張出型保持枠を配置した緑化斜面の構造の実施例の斜視図。
【符号の説明】
１・・・張出型保持枠
１１・・張出部
１２・・翼部
１３・・山折り線
１４・・谷折り線
１５・・切れ目
２・・・閉合型保持枠
【図１】
2004068315.tif 000003
【図２】
2004068315.tif 000004
【図３】
2004068315.tif 000005
【図４】
2004068315.tif 000006
【図５】
2004068315.tif 000007
【図６】
2004068315.tif 000008